(57)【要約】【課題】比較的広い領域で点滅し、視認性がよく、作業者による誤認識を防止することが可能な通電表示装置を提供する。【解決手段】本発明の通電表示装置２００は、無機ＥＬ材料を含む蛍光層からなり、短冊形状でフレキシブルである通電表示部２３０と、前記通電表示部を駆動する電位を入力する磁性材料からなる２つの端子部２４０と、を有することを特徴とする。【選択図】      図６
2011227090.tif 000002
【特許請求の範囲】
【請求項１】
無機ＥＬ材料を含む蛍光層からなり、短冊形状でフレキシブルである通電表示部と、
前記通電表示部を駆動する電位を入力する磁性材料からなる２つの端子部と、を有することを特徴とする通電表示装置。
【発明の詳細な説明】
【技術分野】
【０００１】
本発明は、受変電盤や分電盤などの電気機器に接続される配電線の導通状態を可視化する通電表示装置に関するものである。
【背景技術】
【０００２】
ビルなどの大電力を消費する建築物内においては、高圧線から引き込んだ高圧電流を変圧して建築物内の各所に供給するために、受変電盤や分電盤等の配電盤が設けられている。このような受変電盤や分電盤などの電気機器の保守作業に従事する作業者による感電事故を防止するために従来より、当該電気機器に接続される配電線の通電状態を可視化しようとする提案がなされている。
【０００３】
例えば特許文献１（特開平５−２０７６１８号公報）には、配電盤の筐体内部に収容された被覆配電線の通電状態を表示するための装置であって、前記被覆配電線の通電時に誘導電流を発生する起電部と、前記起電部にて発生する誘導電流によって前記被覆配電線が通電状態である旨を表示する表示部と、を備えることを特徴とする配電盤の通電状態表示装置が開示されている。
【特許文献１】特開平５−２０７６１８号公報
【発明の概要】
【発明が解決しようとする課題】
【０００４】
しかしながら従来の通電状態表示装置においては、一般的に表示部としてＬＥＤなどが用いられており、このような表示部によれば、比較的面積の狭い領域がピンポイントで点灯するような表示形態となるために、点灯状態を確認する上で視認性が悪く、問題であった。通電状態表示装置における視認性が悪いと、実際には通電しているにも関わらず、作業者が通電していないものと認識して作業を行い、感電事故を起こしてしまうこともあり、問題となっていた。
【課題を解決するための手段】
【０００５】
本発明は、上記の課題を解決するものであって、請求項１に係る発明は、無機ＥＬ材料を含む蛍光層からなり、短冊形状でフレキシブルである通電表示部と、前記通電表示部を駆動する電位を入力する磁性材料からなる２つの端子部と、を有することを特徴とする通電表示装置である。
【発明の効果】
【０００６】
本発明の通電表示装置によれば、無機ＥＬ材料を含む蛍光層からなる通電表示部２３０が比較的広い領域で点滅（点灯）するような表示形態となるために、視認性がよいものとなり、作業者による誤認識を防止することができ、感電事故を防止することが可能となる。
【図面の簡単な説明】
【０００７】
【図１】本発明の第1実施の形態に係る通電表示装置の概略の構成を示す図である。
【図２】本発明の第1実施の形態に係る通電表示装置を導電線に取り付ける様子を示す図である。
【図３】本発明の第1実施の形態に係る通電表示装置の回路部の概略の構成を示す図である。
【図４】本発明の第1実施の形態に係る通電表示装置の通電表示部の断面構成を示す図である。
【図５】本発明の第1実施の形態に係る通電表示装置の使用例を示す図である。
【図６】本発明の第２実施の形態に係る通電表示装置の概略の構成を示す図である。
【図７】本発明の第２実施の形態に係る通電表示装置２００の通電表示部２３０の断面構成を示す図である。
【図８】本発明の第２実施の形態に係る通電表示装置２００の使用例を示す図である。
【図９】本発明の第３実施の形態に係る通電表示装置３００の概略の構成を示す図である。
【図１０】従来から電気設備に用いられている銅バーを示す図である。
【図１１】本発明の第３実施の形態に係る通電表示装置３００の通電表示部３３０の断面構成を示す図である。
【図１２】本発明の第３実施の形態に係る通電表示装置３００の使用例を示す図である。
【発明を実施するための形態】
【０００８】
以下、本発明の実施の形態を図面を参照しつつ説明する。本発明の第1実施の形態に係
る通電表示装置の概略の構成を示す図である。図１において、１００は通電表示装置、１０１は本体ケース、１０２は固定側ケース、１０３は可動側ケース、１０４は回動支点、１０５は操作レバー、１０６は第１コア、１０７は第２コア、１０８は検電線、１１０は回路部、１２０はリード線、１３０は通電表示部、Ｃは導電線（ケーブル）をそれぞれ示している。
【０００９】
本発明の第1実施の形態に係る通電表示装置１００は、導電線Ｃに例えば交流で６６０
０Ｖの高電圧が導通しているが否かを検知して、検知した場合には通電表示部１３０において点滅表示を行うように構成されるものである。
【００１０】
通電表示装置１００の本体ケース１０１に延在するようにして、第１コア１０６が収容されてなる固定側ケース１０２が設けられている。また、第１コア１０６と当接して環状コアを形成する第２コア１０７は可動側ケース１０３に収容されている。この可動側ケース１０３は、操作レバー１０５による操作に伴い、回動支点１０４を中心として回動することによって、固定側ケース１０２と可動側ケース１０３とが関す環状構造が開口させることができ、これにより図２に示すように導電線Ｃを取り付けることができるようになっている。図２は本発明の第1実施の形態に係る通電表示装置１００を導電線Ｃに取り付け
る様子を示す図である。図２に示すようにして、通電表示装置１００を導電線Ｃに取り付けた後には、再び固定側ケース１０２と可動側ケース１０３とで環状構造に戻して、第１コア１０６と第２コア１０７とを当接させて環状コアの状態とする。
【００１１】
導電線Ｃに交流電流が導通されると、第１コア１０６と第２コア１０７とで形成された環状コア内に変動磁界が誘起される。第１コア１０６には検電線１０８が巻回されており、コア内の変動磁界は検電線１０８に電流を誘起させることとなる。検電線１０８によって誘起された電流は、本体ケース１０１内の回路部１１０で検出される。
【００１２】
図３は本発明の第1実施の形態に係る通電表示装置１００の回路部１１０の概略の構成
を示す図である。図３において、１１１は検出回路、１１２は電源部、１１３は降圧回路、１１４は信号増幅回路、１１５はオン／オフスイッチ回路、１１６は表示部駆動インバーター回路をそれぞれ示している。
【００１３】
検出回路１１１は検電線１０８によって誘起された電流を検出したとき、所定の電気信号に変換してこれを信号増幅回路１１４に入力する。
【００１４】
電源部１１２としては例えば単4電池３本が直列接続された４．５Ｖのものを用いてい
る。降圧回路１１３は、この４．５Ｖを３Ｖに降圧し、信号増幅回路１１４の電源としている。
【００１５】
信号増幅回路１１４は検出回路１１１からの入力があったときには、オン／オフスイッチ回路１１５が作動するレベルに変換する。また、オン／オフスイッチ回路１１５は後段のインバーター回路をオン／オフさせるためのスイッチング動作を行う。このようなオン／オフスイッチ回路１１５のスイッチング動作によって通電表示部１３０の表示が点滅する。表示部駆動インバーター回路１１６は、通電表示部１３０として用いている無機ＥＬ（Ｅｌｅｃｔｒｏｌｕｍｉｎｅｓｃｅｎｃｅ）表示素子の表示動作に最適な周波数帯の駆動電流を生成する。
【００１６】
以上のような回路部１１０からの出力は、リード線１２０を通じて通電表示部１３０に供給される。通電表示部１３０の略全面は無機ＥＬ材料を含む無機ＥＬ表示素子から構成されており、通電表示部１３０に駆動電流が供給されると、通電表示部１３０の片面側の略全面が発光するようになっている。また、この通電表示部１３０は、図示するように短冊形状であり、無機ＥＬ表示素子が封止（パウチ）されたものであり、ある程度フレキシブルに形を変えることが可能に構成されている。例えば、この短冊形状の通電表示部１３０は、通電線Ｃに巻き付けることなどができるようになっている。
【００１７】
次に、このような通電表示部１３０の構造について説明する。図４は本発明の第1実施
の形態に係る通電表示装置１００の通電表示部１３０の断面構成を示す図である。図４において、１３１は背面電極、１３２は誘導電気層、１３３は蛍光体層、１３４は透明電極層、１３５は封止部材をそれぞれ示している。図４は図１のＡ−Ａ’断面を模式的に示している。
【００１８】
背面電極１３１としては適当な薄膜金属材料が用いられ、この背面電極１３１上に誘導電気層１３２が塗布などによって形成される。誘導電気層１３２としてはチタン酸バリウムが用いられる。この誘導電気層１３２上にはさらに、蛍光体層１３３が塗布により形成される。蛍光体層１３３は硫化亜鉛などの無機ＥＬ発光材料、フッ化ビニリデンと６フッ化プロピレンとの共重合体をメチルケトンの溶剤に溶かしたフッ素樹脂バインダに分散して形成したものである。蛍光体層１３３の溶剤を乾燥させた後には、透明電極層１３４としてＩＴＯ（インジウム−錫酸化物など）が塗布される。また、以上の構成を封止する封止部材１３５としては、蛍光体層１３３からの発光を取り出すことが可能な透明ポリマー材料などが用いられる
次に、以上のように構成される通電表示装置１００の使用形態について説明する。図５は本発明の第1実施の形態に係る通電表示装置１００の使用例を示す図である。図５にお
いては、Ｒ、Ｓ、Ｔの三相高圧ケーブルのうちＲにのみ、本実施形態に係る通電表示装置１００を装着した例を示しているが、本実施形態に係る通電表示装置１００は任意のケーブルに適用することが可能である。ケーブルＣに装着する場合には、通電表示装置１００の固定側ケース１０２及び可動側ケース１０３によってケーブルＣをクランプさせ、そして、通電表示部１３０の発光面が表側となるようにして、通電表示部１３０を図示のごとくケーブルＣに巻き付けるようにする。このように通電表示装置１００をケーブルＣセットした状態で、ケーブルＣに電流が流れると、検出回路１１１で当該電流が検出されて、通電表示部１３０が点滅するようになる。
【００１９】
なお、通電表示部１３０はフレキシブルな短冊状の部材であるので、電表示部１３０をケーブルＣに巻き付けることなく、その他の形態で装着するようにしてもよい。
【００２０】
以上のような本発明の通電表示装置１００によれば、無機ＥＬ材料を含む蛍光層からな
る通電表示部１３０がケーブルＣに巻き付けられるようにして用いられ、この通電表示部１３０が比較的広い領域で点滅するような表示形態となるために、視認性がよいものとなり、作業者による誤認識を防止することができ、感電事故を防止することが可能となる。
【００２１】
次に、本発明の他の実施形態について説明する。図６は本発明の第２実施の形態に係る通電表示装置２００の概略の構成を示す図である。図６において、２００は通電表示装置、２２０はリード線、２３０は通電表示部、２４０は磁性端子部をそれぞれ示している。第２実施の形態に係る通電表示装置２００は、略全面が発光する通電表示部２３０と、この通電表示部２３０に、リード線２２０を介して、電位を入力する磁性端子部２４０とを有している。この第２実施の形態に係る通電表示装置２００は、数１００Ｖ〜４００Ｖ程度の比較的低い電圧の電気設備に適用されることが想定されており、通電表示部２３０に印加される電圧は直接的に、ブレーカーなどの電気設備の端子からとるようにする。磁性端子部２４０は、導電性を有する磁性材料から構成されており、着磁が施されており、電気設備の端子部のビスなどに吸着して固定され得るようになっている。
【００２２】
通電表示部２３０の略全面は無機ＥＬ材料を含む無機ＥＬ表示素子から構成されており、通電表示部２３０に駆動電流が供給されると、通電表示部２３０の片面側の略全面が発光するようになっている。また、この通電表示部２３０は、図示するように短冊形状であり、無機ＥＬ表示素子が封止（パウチ）されたものであり、ある程度フレキシブルに形を変えることが可能に構成されている。例えば、この短冊形状の通電表示部２３０は、通電線Ｃに巻き付けることなどができるようになっている。
【００２３】
次に、このような通電表示部２３０の構造について説明する。図７は本発明の第２実施の形態に係る通電表示装置２００の通電表示部２３０の断面構成を示す図である。図７において、２３１は背面電極、２３２は誘導電気層、２３３は蛍光体層、２３４は透明電極層、２３５は封止部材をそれぞれ示している。図７は図６のＡ−Ａ’断面を模式的に示している。
【００２４】
背面電極２３１としては適当な薄膜金属材料が用いられ、この背面電極２３１上に誘導電気層２３２が塗布などによって形成される。誘導電気層２３２としてはチタン酸バリウムが用いられる。この誘導電気層２３２上にはさらに、蛍光体層２３３が塗布により形成される。蛍光体層２３３は硫化亜鉛などの無機ＥＬ発光材料、フッ化ビニリデンと６フッ化プロピレンとの共重合体をメチルケトンの溶剤に溶かしたフッ素樹脂バインダに分散して形成したものである。蛍光体層２３３の溶剤を乾燥させた後には、透明電極層２３４としてＩＴＯ（インジウム−錫酸化物など）が塗布される。また、以上の構成を封止する封止部材２３５としては、蛍光体層２３３からの発光を取り出すことが可能な透明ポリマー材料などが用いられる
次に、以上のように構成される通電表示装置２００の使用形態について説明する。図８は本発明の第２実施の形態に係る通電表示装置２００の使用例を示す図である。図８においては、比較的電圧が低い三相のケーブルのうち１本にのみ、本実施形態に係る通電表示装置２００を装着した例を示しているが、本実施形態に係る通電表示装置２００は任意のケーブルに適用することが可能である。また、Ｔはブレーカーなどの電気設備の端子部を示しており、本実施形態に係る通電表示装置２００は、２つの磁性端子部２４０を利用して、任意の異なる２つの端子部にこれら磁性端子部２４０を磁力によって装着する。本実施形態に係る通電表示装置２００は、このように磁性端子部２４０によって、電気設備の端子部簡便に取り付けることができるので、作業上の大きな手間となることがない。
【００２５】
また、通電表示部２３０をケーブルＣに装着する場合には、通電表示部２３０の発光面が表側となるようにして、通電表示部２３０を図示のごとくケーブルＣに巻き付けるようにする。このように通電表示装置２００をケーブルＣセットした状態で、２つの端子部に
電位差が発生すると、通電表示部２３０が点灯するようになる。
【００２６】
なお、通電表示部２３０はフレキシブルな短冊状の部材であるので、通電表示部２３０をケーブルＣに巻き付けることなく、その他の形態で装着するようにしてもよい。
【００２７】
以上のような本発明の通電表示装置２００によれば、無機ＥＬ材料を含む蛍光層からなる通電表示部２３０がケーブルＣに巻き付けられるようにして用いられ、この通電表示部２３０が比較的広い領域で点灯するような表示形態となるために、視認性がよいものとなり、作業者による誤認識を防止することができ、感電事故を防止することが可能となる。
【００２８】
次に、本発明の他の実施形態について説明する。図９は本発明の第３実施の形態に係る通電表示装置３００の概略の構成を示す図である。図１０は従来から電気設備に用いられている銅バー３０１を示す図である。
【００２９】
第３実施の形態に係る通電表示装置３００は従来より用いられている銅バー３０１に誘電電気層を設け、さらにこの誘電電気層上に無機ＥＬ材料を含む蛍光層を設けて、銅バー３０１自体を通電表示部３３０として発光させるように構成したものである。
【００３０】
次に、このような通電表示部３３０の構造について説明する。図１１は本発明の第３実施の形態に係る通電表示装置３００の通電表示部３３０の断面構成を示す図である。図１１において、３０１は銅バー、３０２は誘導電気層、３０３は蛍光体層、３０４は透明電極層、３０５は保護層をそれぞれ示している。図１１は図９のＡ−Ａ’断面を模式的に示している。
【００３１】
無垢の銅バー３０１上には、チタン酸バリウムを含む誘導電気層３０２が塗布などによって１０〜５０ミクロン程度の厚さで形成される。所定の乾燥工程を経て、次に、この誘導電気層３０２上にはさらに、蛍光体層３０３が５〜４０ミクロンの厚さで塗布により形成される。蛍光体層３０３は硫化亜鉛などの無機ＥＬ発光材料、フッ化ビニリデンと６フッ化プロピレンとの共重合体をメチルケトンの溶剤に溶かしたフッ素樹脂バインダに分散して形成したものである。蛍光体層３０３を塗膜し、蛍光体層３０３の溶剤を乾燥させた後には、透明電極層３０４としてＩＴＯ（インジウム−錫酸化物など）が５〜１０ミクロンの厚さで塗布される。透明電極層３０４形成後には、保護層３０５を設けるようにするが、この保護層３０５としては、蛍光体層３０３からの発光を取り出すことが可能な透明ポリマー材料などを用いることができる。
【００３２】
次に、以上のように構成される通電表示装置３００の使用形態について説明する。図１２は本発明の第３実施の形態に係る通電表示装置３００の使用例を示す図である。図１２は、比較的電圧が低い三相交流電流が３本の銅バーに流れている場合を想定しているものであり、そのうちの最も右に位置する銅バーを通電表示装置３００として利用する場合を例示しているが、本発明では、図１２中のどの銅バーも通電表示装置３００としてさせることができる。
【００３３】
図１２に示す例では最も右に位置する銅バーの保護層３０５を除去して、透明電極層３０４を露出させて、この透明電極層３０と中央の銅バー部分とを短絡させるようにしている。このように一の通電表示装置３００の透明電極層３０４と、これと異なる通電表示装置３００の銅バー３０１とを短絡させた状態で、２つの通電表示装置３００（銅バー３０１）に電位差が発生すると、一の通電表示装置３００の通電表示部３３０全体が点灯するようになる。
【００３４】
以上のような本発明の通電表示装置３００によれば、無機ＥＬ材料を含む蛍光層からな
る通電表示部３３０が銅バー３０１略全面に設けられ、この通電表示部３３０が比較的広い領域で点灯するような表示形態となるために、視認性がよいものとなり、作業者による誤認識を防止することができ、感電事故を防止することが可能となる。
【符号の説明】
【００３５】
１００・・・通電表示装置、１０１・・・本体ケース、１０２・・・固定側ケース、１０３・・・可動側ケース、１０４・・・回動支点、１０５・・・操作レバー、１０６・・・第１コア、１０７・・・第２コア、１０８・・・検電線、１１０・・・回路部、１１１・・・検出回路、１１２・・・電源部、１１３・・・降圧回路、１１４・・・信号増幅回路、１１５・・・オン／オフスイッチ回路、１１６・・・表示部駆動インバーター回路、１２０・・・リード線、１３０・・・通電表示部、１３１・・・背面電極、１３２・・・誘導電気層、１３３・・・蛍光体層、１３４・・・透明電極層、１３５・・・封止部材、２００・・・通電表示装置、２２０・・・リード線、２３０・・・通電表示部、２４０・・・磁性端子部、３００・・・通電表示装置、３０１・・・銅バー、３０２・・・誘導電気層、３０３・・・蛍光体層、３０４・・・透明電極層、３０５・・・保護層、３３０・・・通電表示部
【図１】
2011227090.tif 000003
【図２】
2011227090.tif 000004
【図３】
2011227090.tif 000005
【図４】
2011227090.tif 000006
【図５】
2011227090.tif 000007
【図６】
2011227090.tif 000008
【図７】
2011227090.tif 000009
【図８】
2011227090.tif 000010
【図９】
2011227090.tif 000011
【図１０】
2011227090.tif 000012
【図１１】
2011227090.tif 000013
【図１２】
2011227090.tif 000014